(57)【特許請求の範囲】
【請求項１】
レンズと複数層とを有する眼用レンズシステムであって、
該層の一つは４００〜４６０ｎｍの範囲内の光毒性光を選択的に抑制しながら、その範囲外の可視光波長の透過に殆ど又は全く影響を与えないように構成された第一光学的フィルターエレメントを含み、
該システムは暗所視照度を１５％未満だけ低減し、明所視照度を１５％未満だけ低減する、
眼用レンズシステム。
【請求項２】
前記第一光学的フィルターエレメントが５％未満だけ暗所視照度を低減し、３％未満だけ明所視照度を低減する請求項１に記載の眼用レンズシステム。
【請求項３】
前記第一光学的フィルターエレメントが吸収性である請求項１に記載の眼用レンズシステム。
【請求項４】
前記第一光学的フィルターエレメントが反射性である請求項１に記載の眼用レンズシステム。
【請求項５】
前記第一光学的フィルターエレメントが吸収性と反射性とを組み合わせて有する請求項３に記載の眼用レンズシステム。
【請求項６】
前記第一光学的フィルターが被覆、フィルム、誘電性積層体、及び染料から成る群から選択されるいずれか一つである請求項１に記載の眼用レンズシステム。
【請求項７】
前記第一吸収性光学的フィルターエレメントが４００〜４７５ｎｍの範囲内の可視青色光を吸収する請求項３に記載の眼用レンズシステム。
【請求項８】
前記第一光学的フィルターエレメントが４２０ｎｍ及び４６０ｎｍの間の光をフィルターにかける請求項１に記載の眼用レンズシステム。
【請求項９】
前記第一反射性光学的フィルターエレメントが４００〜４７５ｎｍの範囲内の可視青色光を反射する請求項４に記載の眼用レンズシステム。
【請求項１０】
前記第一光学的フィルターエレメントが８０％未満の光毒性率を提供する請求項１〜９のいずれか一項に記載の眼用レンズシステム。
【請求項１１】
前記第一光学的フィルターエレメントが７０％未満の光毒性率を提供する請求項１〜１０のいずれか一項に記載の眼用レンズシステム。
【請求項１２】
前記第一光学的フィルターエレメントが６０％未満の光毒性率を提供する請求項１〜１１のいずれか一項に記載の眼用レンズシステム。
【請求項１３】
前記第一光学的フィルターエレメントが１０％以下だけ暗所視発光透過率を低減する請求項１、３〜１２のいずれか一項に記載の眼用レンズシステム。
【請求項１４】
前記第一光学的フィルターエレメントが５％以下だけ暗所視発光透過率を低減する請求項１、３〜１３のいずれか一項に記載の眼用レンズシステム。
【請求項１５】
色調和成分を更に有する請求項１〜１４のいずれか一項に記載の眼用レンズシステム。
【請求項１６】
前記第一光学的フィルターが４００ｎｍ〜４６０ｎｍの範囲内の青色光を５％だけ抑制する請求項１に記載の眼用レンズシステム。
【請求項１７】
前記第一光学的フィルターが４００ｎｍ〜４６０ｎｍの範囲内の青色光を１０％だけ抑制する請求項１に記載の眼用レンズシステム。
【請求項１８】
前記第一光学的フィルターが４００ｎｍ〜４６０ｎｍの範囲内の青色光を１５％だけ抑制する請求項１に記載の眼用レンズシステム。
【請求項１９】
前記第一光学的フィルターが４００ｎｍ〜４６０ｎｍの範囲内の青色光を２０％だけ抑制する請求項１に記載の眼用レンズシステム。
【請求項２０】
前記第一光学的フィルターが４００ｎｍ〜４６０ｎｍの範囲内の青色光を３０％だけ抑制する請求項１に記載の眼用レンズシステム。
【請求項２１】
前記眼用レンズが吸収及び反射を利用して青色光をフィルターにかける請求項１に記載の眼用レンズシステム。
【請求項２２】
レンズと複数層とを有する眼用レンズシステムであって、
該層の一つは４００〜４６０ｎｍの範囲内の光毒性光を選択的に抑制しながら、その範囲外の可視光波長の透過に殆ど又は全く影響を与えないように構成された第一光学的フィルターエレメントを含み、
該システムは暗所視照度を１５％未満だけ低減し、
該層の一つは該第一光学的フィルターエレメントの上に適用され、該第一光学的フィルターエレメントによって引き起こされるカラーシフトを調和する染料を含有する反射防止被覆である、
眼用レンズシステム。
【請求項２３】
前記第一光学的フィルターエレメントと組み合わせた前記反射防止被覆は４００〜４６０ｎｍの範囲内の光毒性の青色及び紫色の光抑制を増大させ、暗所視照度及び明所視照度を増大させる請求項２２に記載の眼用レンズシステム。
【請求項２４】
前記第一光学的フィルターエレメントと反射防止被覆の間に耐擦傷性ハードコートを更に有する請求項２２に記載の眼用レンズシステム。
【請求項２５】
該システムによって引き起こされるいずれかのマンセルカラーシステムタイルのＤ６５発光体下における最大カラーシフトが、ＣＩＥ（Ｌ*，ａ*，ｂ*）色空間における２０丁度可知差異（ＪＮＤ）単位以下である、請求項１から請求項２１のいずれか一項に記載の眼用レンズシステム。
【請求項２６】
該システムによって引き起こされるいずれかのマンセルカラーシステムタイルのＤ６５発光体下における平均カラーシフトが、ＣＩＥ（Ｌ*，ａ*，ｂ*）色空間における１２丁度可知差異（ＪＮＤ）単位以下である、請求項１から請求項２１のいずれか一項に記載の眼用レンズシステム。
【発明の詳細な説明】
【技術分野】
【０００１】
本出願は２００６年８月２３日に出願された米国仮出願第６０／８３９，４３２号、２００６年９月１日に出願された米国仮出願第６０／８４１，５０２号、及び２００６年１１月２８に出願された米国仮出願第６０／８６１，２４７号に基づく利益を主張し、これらの内容は参照としてここに完全に組み込まれる。
【背景技術】
【０００２】
白内障及び黄斑変性症は眼球内のレンズ及び網膜がそれぞれ光化学的に損傷する結果であると広く考えられている。青色光に対する露出もまたブドウ膜メラノーマ細胞の増殖を促進することが示されている。可視スペクトルにおける最も活性な光子は３８０及び５００ｎｍの間の波長を有し、紫色又は青色と知覚される。例えば、マインスター（Mainster）及びスパロー（Sparrow）、「ＩＯＬはどれ位の青色光を透過すべきか？」、Ｂｒ．Ｊ．オプタルモル（Ophthalmol）．、２００３年、８７巻、１５２３〜２９頁及び図６、に説明されているように、全体的な機構にわたって総括された光毒性の波長依存性は、しばしば作用スペクトル（action spectrum）として表される。眼球内にレンズを有しない目（無水晶体眼）では、４００ｎｍよりも短い波長の光は損傷を引き起こしうる。有水晶体眼では、この光は眼球内のレンズに吸収され、網膜に対する光毒性に寄与しないけれども、レンズの光学的な劣化又は白内障を引き起こしうる。
【０００３】
目の瞳孔は、網膜の波長依存性感度を伴う入射流量と瞳孔の投影面積との積である、トロランドにおける明所視網膜照度に応答する。この感度は、ウィゼキ（Wyszecki）及びスタイルズ（Stiles）、カラーサイエンス：コンセプト及び方法、定量的データ及び化学式（Wiley: New York）１９８２年、１０２〜１０７頁に説明されている。
【０００４】
現在の研究によれば、ある人の一生の過程において、幼児期の始まりから、光の網膜との相互作用によって、網膜の色素上皮層内部に代謝老廃副生成物が蓄積する。この代謝老廃生成物はあるフルオロフォアによって特徴付けられる。もっとも著名なものの一つはリポフスチン構成要素Ａ２Ｅである。この特定のフルオロフォアは約４３０ナノメートルの波長の青色光照射によって最も重大に励起されることが示されている。この代謝老廃物（特にリポフスチンフルオロフォア）の形成の組合せがある一定レベルの蓄積を達成した場合に転換点に達し、人がある年齢閾値に達した場合に網膜内でのこの一定の老廃物を代謝する人の体の生理的な能力が減退し、そして該当する波長の青色光の刺激によってドルーゼが形成されると理論的に説明される。そして、ドルーゼはさらに適切な栄養を光受容体に届ける正常な生理学的／代謝活動を阻害して、ＡＭＤ（年齢に関連した黄斑変性症）に寄与すると考えられる。ＡＭＤは高齢者における失明の主な原因と考えられる。
【０００５】
理論的な観点から次の事項が発生している：
１）色素上皮レベル内部における老廃物の蓄積は、一生を通じて幼児期から出発して発生する。
２）この老廃物を処理するための網膜の代謝活性及び能力は、典型的には年齢と共に減少する。
３）黄斑色素は、典型的には人が年をとるにつれて減少し、それ故より少量の青色光しか濾光除去（filtering out）しなくなる。
４）青色光はリポフスチンが毒性になることを引き起こす。
５）得られる毒性により、色素上皮細胞が損傷される。
【０００６】
４３０±３０ｎｍの波長範囲内において仮に約５０％の青色光がブロックされると、青色光によって引き起こされる細胞死は最大８０％まで減少することが示されている。プラット（Pratt）への米国特許第６，９５５，４３０号には、目の健康増進を目的として青色光をブロックするサングラス、眼鏡、ゴーグル及びコンタクトレンズのような外部眼鏡類が記載されている。網膜をこの光毒性の光から保護する目的のその他の眼用デバイスには、眼球内レンズ類及びコンタクトレンズ類が含まれる。これらの眼用デバイスは環境光と網膜との間の光学経路内に位置させられ、一般に、青色光及び紫色光を選択的に吸収する染料を含むかこれで被覆されている。
【０００７】
青色光をブロックすることにより色収差を低減することを試みたその他のレンズが知られている。色収差は、角膜、眼球内レンズ、房水、硝子体液を含む眼球の媒体の光学分散によって引き起こされる。この分散は青色光をより長波長の光とは異なる画像平面に焦点し、フルカラー画像の焦点ぼけを導く。従来の青色ブロックレンズは、パーテル（Patel）らへの米国特許第６，１５８，８６２号、ジンカーソン（Jinkerson）への米国特許第５，６６２，７０７号、ヨハンセン（Johansen）への米国特許第５，４００，１７号、及びヨハンセン（Johansen）への米国特許第４，８７８，７４８号に記載されている。
【０００８】
眼球の媒体に対する青色光の露出を低減するための従来の方法は、典型的には、閾値波長を下回る光を完全に閉鎖し、一方でより長い波長の光も低減することである。例えば、プラットへの米国特許第６，９５５，４３０号に記載されているレンズは、プラット'４３０の図６に示されるように、６５０ｎｍまで長い波長の入射光の４０％未満しか透過しない。米国特許第５，４００，１７５号にヨハンセン及びディフェンダファー（Diffendaffer）によって開示された青色光ブロックレンズは、その'１７５特許の図３に示されるように、同様に、可視スペクトルにわたって６０％を超えて光を弱めてしまう。
【０００９】
青色光をブロック及び／又は抑制すると、カラーバランス、人が光学デバイスを通して見た場合の色覚、及び光学デバイスが知覚されている状態での色に影響するために、ブロックされた青色光の範囲及び量を調和させるのは困難である。例えば、射撃眼鏡は明るい黄色に見え、青色光をブロックする。射撃眼鏡は、人が青空に目を向けた場合に、しばしば、ある種の色をより明確にして、射撃手が標的物をより早くより正確に認識できるようにする。この作用は射撃眼鏡にとっては良いが、多くの眼用用途には許容されない。
【００１０】
従来の手法による青色のブロックは可視光透過率を低下させることが見出されており、これは反対に瞳孔の拡張を刺激する。瞳孔が拡張すると、眼球内レンズ及び網膜を含む目の内部構造に対する光の流入が増大する。これらの構造に対する照射流量は瞳孔直径の２乗として増加するため、可視光透過率の減少を伴って青色光の半分をブロックするレンズは瞳孔を直径２ｍｍ〜３ｍｍ弛緩させ、実際には青色光子の網膜に対する照射量は１２．５％だけ増加する。網膜を光毒性の光から保護することは、網膜に衝突するこの光の量に依存し、眼球の媒体の透過特性及び瞳孔の動的な口径にも依存する。
【００１１】
従来の青色をブロックする手法に伴うその他の問題は暗視力が低下しうることである。青色光は、明るい光又は明所視のためよりも、低い光量レベル又は暗所視のためにより重要であり、暗所視及び明所視についての発光感度スペクトルにおける定量的に表現された結果である。光化学的及び酸化的反応は眼球内レンズ組織による４００〜４５０ｎｍ光の吸収を引き起こし、年齢と共に自然に増加する。低光量視（low-light vision）に関与する網膜上の棒状の光受容体の数も年齢と共に減少し、眼球内レンズによる増大された吸収は暗視力を劣化させるのに重要である。例えば、暗所視感度は５３歳の眼球内レンズでは３３％だけ低下しており、７５歳のレンズでは７５％低下している。網膜の保護と暗所視感度との緊張関係は、マインスター及びスパロー、「ＩＯＬはどれ位の青色光を透過すべきか？」、Ｂｒ．Ｊ．オプタルモル．、２００３年、８７巻、１５２３〜２９頁に記載されている。
【００１２】
青色ブロックするための従来の方法は、カットオフ又はハイパスフィルターを用いて、特定の青色または紫色の波長以下の透過をゼロに低減することを含みうる。例えば、閾値波長を下回る全ての光は完全に又はほぼ完全にブロックされうる。例えば、マインスター（Mainster）及びマインスター（Mainster）への米国公開特許出願第２００５／０２４３２７２号、「眼球内レンズは青色光ではなくＵＶ照射及び紫色をブロックすべきである」、アーク（Arch）．オプタル（Ophthal）．、第１２３巻、第５５０頁（２００５）には、４００及び４５０ｎｍの間の閾値波長以下の全ての光をブロックすることが記載されている。ロングパスフィルターの端部がより長波長にシフトされて、瞳孔の拡張が合計流量の増加に作用するために、このようなブロックは望ましくない。ここまで説明したように、これは暗所視を劣化させ、色の歪みを増大させる。
【発明の概要】
【発明が解決しようとする課題】
【００１３】
望ましくないカラーシフトを引き起こさないで青色光の波長をブロック及び／又は選択的に抑制するための広範な種類のシステムの内部又は上に含まれうるフィルムが提供される。これらのデバイスには窓、自動車の風防、眼鏡レンズ、コンタクトレンズ、眼球内レンズ、及び電気活性レンズのような眼用レンズを含むレンズ、角膜内インレー、カメラのフラッシュ、蛍光照明、ＬＥＤ照明やその他の人工照明に設けることができる特別なフィルター（照射フィラメント容器に対してか、又は装置そのものに対するもの）、網膜鏡、検眼鏡、眼底カメラ、生体顕微鏡及び人の目を見るのに用いる他の形態の器具類、コンピューターモニター、テレビスクリーン、光るサイン及び青色光が発せられるか透過されるいずれかのその他の物品が含まれる。レンズに含まれる場合、そのフィルムは、殆ど又は全ての眼鏡レンズの着色又は殆ど又は全ての着色不足のために提供されうる。
【課題を解決するための手段】
【００１４】
このフィルムは３８０〜５００ｎｍの波長範囲内の少なくとも５％、少なくとも１０％、少なくとも２０％、少なくとも３０％、少なくとも４０％、及び／又は少なくとも５０％の青色光をブロック及び／又は選択的に抑制し、色が調和されて、そのフィルム及びそのフィルムがその中に組み込まれたシステムを観察者が見た場合に無色と知覚するようにされうる。本発明によるフィルムを組み込んだシステムは、８５％以上の全ての可視光の明所視発光透過率をも有し、そのフィルムを組み込んだシステムの使用者及び／又は観察者がそのシステムを通過したほぼ正常な色覚を有することを許容する。
【発明の効果】
【００１５】
ここに記載されているデバイス及びシステムは目の内部構造に対する青色光の流入を低減しながら発光透過率が減少することの結果である瞳孔の拡張を低減又は最小化する。ここに記載された方法及びシステムは青色のブロックを行うレンズにおける色歪みをも低減し最小化しまたは排除する。特定のデバイスは実質的に無色のレンズをもって網膜の健康を保護し、そのレンズを着用した人の顔を見ても美容上不利であるカラーシフト引き起こさない。
【００１６】
また、ここに記載されているデバイス及びシステムは、黄斑（macula）に対する青色及びその他の光子の流入を増大させるように作用する瞳孔の拡張を防止することにより光毒性の青色光から人の網膜を保護する。目の内部及び／又は外部の吸収性、反射性、又は吸収性と反射性とが混成した光学的フィルターエレメントは目の像平面からの青色光を全てではないが幾らかブロックしうる。網膜平面に幾らかの青色光を到達させることにより、ここに記載されているデバイス及び方法は低光量レベル（暗所視又は暗視）においても感度を維持し、青色の濾光（blue-filtering）によって引き起こされる色歪みを低減し、そして青色を濾光するデバイスを通して観察される装着者の顔に対する美容上望ましくない着色を低減する。
【図面の簡単な説明】
【００１７】
【図１】本発明による眼用デバイスを示す図である。
【図２】本発明による例示的なフィルムの光学的な透過特性を示す図である。
【図３】本発明による例示的な眼用システムを示す図である。
【図４】本発明による例示的なシステムを示す図である。
【図５Ａ】視野照度の関数としての瞳孔の直径を示す図である。
【図５Ｂ】視野照度の関数としての瞳孔の面積を示す図である。
【図６】ペリレン染料でドープした本発明によるフィルムの透過スペクトルであり、この濃度及び経路長さの製品は約４３７ｎｍにおいて約３３％の透過率を提供する。
【図７】図６に例示したものよりも約２．２７倍高いペリレン濃度を有する本発明によるフィルムの透過スペクトルである。
【図８】本発明によるＳｉＯ２及びＺｒＯ２の６層積層体についての例示的な透過スペクトルである。
【図９】（Ｌ＊，ａ＊，ｂ＊）色空間おける所定の発光体によって照射されたマンセルタイルに対応する参照色座標である。
【図１０Ａ】関連するフィルターのためのマンセルカラータイルについてのカラーシフトのヒストグラムである。
【図１０Ｂ】関連する青色ブロックフィルターにより誘導されるカラーシフトを示す図である。
【図１１】本発明によるペリレン着色された基材についてのカラーシフトのヒストグラムである。
【図１２】本発明によるシステムの透過スペクトルである。
【図１３】昼光におけるマンセルタイルについての本発明によるデバイスの色歪みを総括したヒストグラムである。
【図１４Ａ】異なる人種の被験者由来の皮膚反射スペクトルの代表的なシリーズを示す図である。
【図１４Ｂ】異なる人種の被験者由来の皮膚反射スペクトルの代表的なシリーズを示す図である。
【図１５】白色人種の被験者についての例示的な皮膚反射スペクトルである。
【図１６】本発明による種々のレンズについての透過スペクトルである。
【図１７】本発明による例示的な染料である。
【図１８】本発明によるハードコートを有する眼用システムである。
【発明を実施するための形態】
【００１８】
本発明によれば、眼用システム又はその他のシステムにおけるフィルムは４００ｎｍ〜４６０ｎｍの範囲内の青色光の少なくとも５％、少なくとも１０％、少なくとも２０％、少なくとも３０％、少なくとも４０％、及び／又は少なくとも５０％を選択的に抑制する。ここで用いられているように、フィルムは波長範囲を「選択的に抑制」しながら、その波長範囲以内の少なくとも幾らかの透過を抑制したとしても、その範囲外の可視光波長の透過に殆ど又は全く影響を与えない。そのフィルムを組み込んだフィルム及び／又はシステムは、観察者及び／又は使用者によって無色と知覚されるように色が調和されてよい。本発明によるそのフィルムを組み込んだシステムは可視光の８５％以上の明所視発光透過率を有し、そのフィルム又はシステムを通して見る者に殆ど正常な色覚を提供する。
【００１９】
図１は本発明の例示的な実施形態を示している。フィルム１０２は一つ以上の基本材料１０１、１０３の二つの層又は領域の間に配置されうる。さらにここに説明されるように、このフィルムは一定波長の光を選択的に抑制する染料含有しうる。基本材料は、レンズ、眼用システム、窓、又はその中にフィルムが配置されうるその他のシステムのために適するいずれかの材料でありうる。
【００２０】
本発明による例示的なフィルムの光学的な透過特性は図２に示されており、ここでは４３０ｎｍ±１０ｎｍの範囲の青色光の約５０％がブロックされており、他方では可視スペクトル内のその他の波長における最低限の損失を与えている。図２に示されている透過は例示的なものであり、５０％未満の青色光を選択的に抑制したり、及び／又は抑制される特定の波長を変化させることが多くの用途について望ましいことは理解されるべきである。多くの用途において、５０％未満の青色光をブロックすることによって細胞死が低減又は防止されると考えられている。例えば、約４０％、より好ましくは約３０％、より好ましくは約２０％、より好ましくは約１０％、そしてより好ましくは約５％の４００〜４６０ｎｍ範囲の光が選択的に抑制される。光のエネルギーが高いためにより少量の光を選択的に抑制することによっても損傷を防止することができ、他方十分に少量であるためにその抑制はシステムの使用者の暗所視及び／又は概日サイクルに悪影響を与えない。
【００２１】
図３は本発明による眼用レンズ３００内に組み込まれたフィルム３０１を示しており、眼用材料３０２、３０３の層の間に挟まれている。眼用材料の前側層の厚さは、単に例示的に、２００ミクロン〜１，０００ミクロンの範囲である。
【００２２】
同様に、図４は本発明による自動車風防のような例示的なシステム４００を示している。フィルム４０１はシステム４００内に組み込まれてよく、基本材料４０２、４０３の層の間に挟まれている。例えば、システム４００が自動車風防である場合、基本材料４０２、４０３には風防用ガラスが通常使用される。本発明の範囲から逸脱することなく、視覚用、表示用、眼用、及び他のシステムを含む種々のその他のシステムにおいて異なる基本材料を用いうることが理解される。
【００２３】
一つの実施形態では、本発明によるシステムは、関連する放出される可視光が非常に特定のスペクトルを有する環境において操作される。かかる状況では、フィルムの濾光効果を、その品目によって透過、反射、又は発光される光が最適化されるように調整することが望ましい。このことは、例えば、透過され、反射され、発光される光の色が主要な懸案事項である場合に該当する。例えば、本発明によるフィルムがカメラフラッシュ又はフラッシュフィルターの内部又は一緒に使用される場合は、画像又はプリントの知覚される色はできるだけ本来の色に近いことが望ましい。他の例として、本発明によるフィルムは、疾患について患者の目の裏を観察するための装置に用いうる。かかるシステムでは、フィルムは網膜の本来の及び観察される色を阻害しないことが重要になりうる。その他の例として、ある種の人工照明は本発明のフィルムを利用する波長調節フィルターの特徴を生かすことができる。
【００２４】
ある実施形態では、本発明のフィルムは、光着色性、電気着色性、又は着色可変性の眼用レンズ、窓又は自動車風防内に用いうる。かかるシステムは、着色が機能しない環境において、ＵＶ光波長、強い直射日光及び青色光波長からの保護を提供する。この実施形態では、着色が機能するか否かに関わらず、フィルムの青色光波長保護の属性は有効である。
【００２５】
ある実施形態では、フィルムは青色光を選択的に抑制しながら色を調和し、可視光の８５％以上の暗所視発光透過率を有する。かかるフィルムは、運転眼鏡又は運動眼鏡のような光透過率が低い用途のために有用であり、コントラスト感度が増大するために優れた視覚性能が提供される。
【００２６】
いくつかの用途について、本発明によるシステムはここに説明されるように青色光を選択的に抑制して、可視スペクトルにわたって、約８５％未満、典型的には約８０〜８５％の発光透過率を有することが望ましい。このことは、例えば、システムに用いられる基本材料の屈折率が高いため、全ての可視光波長にわたってより以上に光を抑制する場合が当てはまる。具体例としては、高屈折（例えば、１．７）レンズは波長にわたってより以上に光を反射して、８５％未満の発光透過率を提供する。
【００２７】
従来の青色ブロックシステムに存在する問題を回避、低減又は排除するために、光毒性青色光の透過を減少させるが排除しないことが望ましい。目の瞳孔はトロランドにおける明所視網膜照度に応答し、これは網膜の波長依存性感度を伴う入射流量と瞳孔の投影面積との積である。眼球内レンズのような目の内部装着、コンタクトレンズ又は角膜置換のような目に対する取り付け、又は眼鏡レンズのような目の光学経路内設置を問わず、網膜の前方にフィルターを位置させることで、網膜に対する光の合計流量及び瞳孔を刺激して拡張することが減少し、視野照度の減少が補われる。視野において定常的な輝度に露出された場合、瞳孔の直径は一般にある値の周辺で上下し、輝度が減少すると増大する。
【００２８】
瞳孔面積と視野照度との関数関係は、ムーン（Moon）及びスペンサー（Spencer）、Ｊ．Ｏｐｔ．Ｓｏｃ．Ａｍ．、３３巻、２６０頁（１９４４）に、瞳孔直径についての以下の式を用いて説明されている。
【００２９】
［数１］
ｄ＝４．９−３ｔａｎｈ（Ｌｏｇ（Ｌ）＋１）    （０．１）
【００３０】
式中、ｄはミリメートルで表され、Ｌはｃｄ／ｍ２で表される照度である。図５Ａは視野照度（ｃｄ／ｍ２）の関数としての瞳孔直径（ｍｍ）を示している。図５Ｂは視野照度の関数としての瞳孔面積（ｍｍ２）を示している。
【００３１】
照度は、国際ＣＩＥ標準によって、波長にわたる視覚感度のスペクトル加重積分として定義される。
【００３２】
［数２］
Ｌ＝Ｋｍ∫Ｌｅ,λＶλｄλ            明所視
Ｌ'＝Ｋ'ｍ∫Ｌｅ,λＶ'λｄλ         暗所視    （０．２）
【００３３】
式中、Ｋｍ'は暗所視（暗視）について１７００．０６ｌｍ／Ｗであり、Ｋｍは明所視（昼間視）について６８３．２ｌｍ／Ｗであり、スペクトル発光効率関数Ｖλ及びＶλ'は標準的な明所視及び暗所視観察者を定義する。発光効率関数Ｖλ及びＶλ'は、http://webvision.med.utah.edu/Phych1.html, last visited August 8, 2007, において入手可能な、マイケル・カロニアティス（Michael Kalloniatis）及びチャールズ・ルー（Charles Luu）、「視覚の精神物理学」の、例えば図９に記載されており、これはここに参照として組み込む。
【００３４】
眼球内、コンタクト又は眼鏡レンズの形態で吸収性眼用エレメントを介在させることにより、以下の式に従って照度が低下する。
【００３５】
［数３］
Ｌ＝Ｋｍ∫ＴλＬｅ,λＶλｄλ         明所視
Ｌ'＝Ｋ'ｍ∫ＴλＬｅ,λＶ'λｄλ      暗所視    （０．３）
【００３６】
式中、Ｔλは光学エレメントの波長依存性透過率である。それぞれの従来の青色ブロックレンズについて、等式１．２から計算した濾光していない照度値に対して標準化した等式１．３中の積分についての値を表Ｉに示す。
【００３７】
［表Ｉ］
0005898136.tif 000002
【００３８】
表Ｉを参照して、プラット（Pratt）による眼用フィルターは、その濾光しない値の８３．６％だけ暗所視感度を低減し、減衰は暗視力を低減するとともに、等式１．１に従って瞳孔の拡張を刺激する。マインスター（Mainster）に記載されているデバイスは暗所視流量を２２．５％だけ低減し、これはプラットほど深刻ではないが依然として重大である。
【００３９】
対照的に、本発明によるフィルムは、吸収性または反射性の眼用エレメントを用いて紫色及び青色光を部分的に減衰するが、暗所視照度の低減はその濾光しない値の１５％以下である。驚くべきことに、本発明によるシステムは青色光の所望の領域を選択的に抑制しながら明所視及び暗所視に対して殆ど又は全く影響しないことが見出された。
【００４０】
ある実施形態では、ペリレン（Ｃ２０Ｈ１２、ＣＡＳ＃１９８−５５−０）が、その吸収極大の４３７ｎｍにおいて光の約２／３が吸収されるのに十分な濃度及び厚さで眼用デバイス中に組み込まれる。このデバイスの透過スペクトルを図６に示す。表Ｉに示すように、この濾光の結果である照度の変化は、暗所視条件において約３．２％、そして明所視条件において約０．４％に過ぎない。デバイス中のペリレンの濃度又は厚さを増大させることにより、ビールの法則（Beer's law）に従って各波長における透過率が減少する。図７は、ペリレン濃度が図６のものよりも２．２７倍高いデバイスの透過スペクトルを示している。このデバイスは図６のデバイスよりもより多くの光毒性青色光を選択的にブロックするけれども、これは暗所視照度を６％未満だけ、及び明所視照度を０．７％未満だけ低減する。図６及び７のスペクトルからは反射が除去されており、染料による吸収の効果のみ示されていることに注意すべきである。
【００４１】
ペリレン以外の染料であっても青色またはほぼ青色波長範囲に強い吸収を有し、可視スペクトルの他の領域に殆どまたは全く吸収を有しないものがある。このような染料の例には、図１７に例示されるように、ポルフィリン、クマリン、及びアクリジンに基づく分子であり、これらは単一または組み合わせて使用されて、４００ｎｍ〜４６０ｎｍにおいて透過率が排除されることなく低減されうる。従って、ここに説明される方法及びシステムはペリレン、ポルフィリン、クマリン、及びアクリジンの透過スペクトルを再現する濃度において、その他の分子構造に基づく類似の染料を用いうる。
【００４２】
本発明の実施形態による光学経路内への染料の挿入は、光学用品製造の当業者に周知の種々の方法によって行うことができる。染料又は染料類は基材中に直接組み込まれてよく、ポリマー被覆に添加されてよく、レンズに吸収させてよく、染料含浸層を含む積層構造中に組み込まれてよく、又は染料含浸微粒子を有するコンポジット材料としてもよい。
【００４３】
本発明のその他の実施形態では、紫色及び青色スペクトル領域において部分的に反射性であり、より長波長においては反射防止性である誘電性被覆が設けられうる。適当な誘電性光学フィルターを設計するための方法は、アンガス・マックレオド（Angus McLeod）、薄膜光学フィルター（Thin Film Optical Filter）（マグローヒル：ＮＹ）１９８９年、のような教科書にまとめられている。図８に、本発明によるＳｉＯ２及びＺｒＯ２の６層積層体についての例示的な透過スペクトルを示す。再び表Ｉを参照して、この光学フィルターは光毒性青色光及び紫色光をブロックしながら、５％未満だけの暗所視照度及び３％未満だけの明所視照度を減少させる。
【００４４】
多くの従来の青色ブロック技術ではできるだけ多くの青色光を抑制することが試みられたけれども、現在の研究では、多くの用途において、比較的少量の青色光を抑制するのが望ましいことが示されている。例えば、暗所視における望ましくない効果を防止するために、本発明による眼用システムは約３０％の青色（すなわち、３８０〜５００ｎｍ）波長の光、好ましくは約２０％の青色光、より好ましくは約１０％、より好ましくは約５％しか抑制しないことが望ましい。わずか５％の青色光を抑制することにより細胞死が低減すると考えられており、その一方この程度の青色光の減少ではシステムを使用する人々の暗所視及び／又は概日行動に殆ど又は全く影響しない。
【００４５】
ここで用いられるように、青色光を選択的に抑制する本発明によるフィルムはフィルムを組み込む基本システムに対して測定される光の量を抑制するものとして説明される。例えば、眼用システムはレンズのためにポリカーボネート又はその他の類似の基本材料を使用しうる。このような基本材料のために典型的に使用される材料は可視波長において種々の量の光を抑制しうる。本発明による青色ブロックフィルムがシステムに付加されると、フィルムが無い状態で同じ波長において透過される光の量に対して測定した場合に、５％、１０％、２０％、３０％、４０％、及び／又は５０％の全ての青色波長が選択的に抑制されうる。
【００４６】
ここに開示される方法及びデバイスは青色をブロックする結果である色知覚におけるシフトを最小化、好ましくは排除する。人間の視覚系によって知覚される色は、異なるスペクトル応答特性を有する網膜色素に当った光シグナルを神経処理した結果である。色知覚を数学的に説明するために、３種類の波長依存性色整合関数とスペクトル照度との積を積分する（integrating）ことにより色空間が構成される。結果は知覚される色を特徴付ける３個の数値である。代替的な色標準に基づく同様の計算が色科学の当業者に周知でありそれらも使用可能であるけれども、国際照明委員会（ＣＩＥ）によって確立された、統一（Ｌ＊，ａ＊，ｂ＊）色空間を、知覚される色を特徴付けるために使用することができる。この（Ｌ＊，ａ＊，ｂ＊）色空間はＬ＊軸で明度を規定し、ａ＊及びｂ＊軸により規定される平面内で色を規定する。空間のカルテシアン距離（Cartesian distances）が二つの物体の間の知覚される色差の大きさ（Magnitude）に比例することから、計算に用いる類の用途のためにはこのＣＩＥ標準によって定義されるような統一色空間が好ましい。ウィゼキ（Wyszecki）及びスタイルズ（Stiles）、カラーサイエンス：コンセプト及び方法、定量的データ及び化学式（Wiley: New York）１９８２年、に説明されているように、統一色空間を使用することは当業界で認められている。
【００４７】
ここに記載されている方法及びシステムによる光学的な設計は視覚的環境を説明するスペクトルのパレットを使用してよい。その非限定的な例示はマンセル艶消しカラーパレットであり、これは、相互に全く相違して認識されるように精神物理学的な実験によって確立されている１，２６９色のタイルからなっている。これらタイルのスペクトル照度は標準照明条件の下で測定される。（Ｌ＊，ａ＊，ｂ＊）色空間におけるＤ６５昼光発光体によって照らされたこれらタイルのそれぞれに対応する色座標の配列は色歪みについての参照であり、図９に示される。次いで、カラータイルのスペクトル照度は青色ブロックフィルターによって変調され、色座標の新しい組が計算される。それぞれのタイルは（Ｌ＊，ａ＊，ｂ＊）座標の幾何学的な変位に対応する量だけシフトした知覚色を有する。この計算はプラットの青色ブロックフィルターに適用されており、ここでは（Ｌ＊，ａ＊，ｂ＊）色空間における平均色歪みは４１丁度可知差異（ＪＮＤ）単位である。プラットフィルターによって引き起こされる最小歪みは１９ＪＮＤ、最大は６６、そして標準偏差は７ＪＮＤである。全ての１，２６９個のカラータイルについての色歪みのヒストグラムを図１０Ａ（上側）に示す。
【００４８】
図１０Ｂを参照して、マインスターの青色ブロックフィルターによって誘導されるカラーシフトは６の最小値、１９の平均値、３４の最大値、及び６ＪＮＤの標準偏差を有する。
【００４９】
２種類の濃度におけるペリレン染料又は上述の反射フィルターを用いる本発明の実施形態は、表ＩＩに示されるように、平均、最小又は最大歪みのいずれとして測定されても従来のデバイスよりも実質的に小さいカラーシフトを有する。図１１は、その透過スペクトルが図６に示されている本発明によるペリレンで着色された基材についてのカラーシフトのヒストグラムを示す。明らかに、全てのカラータイルにわたるシフトは、マインスター、プラットなどによって説明される従来のデバイスについてのそれらよりも実質的に低く狭いことが観察される。例えば、シミュレーションの結果は、本発明によるフィルムについて、１２及び２０ＪＮＤという低い（Ｌ＊，ａ＊，ｂ＊）シフト、及び７〜１２ＪＮＤという低い全てのタイルにわたる平均シフトを示した。
【００５０】
［表II］
0005898136.tif 000003
【００５１】
一つの実施形態では、反射及び吸収エレメントを組み合わせることにより有害な青色光子を濾光（filter）しながら比較的高い発光透過率が維持される。つまり、本発明によるシステムによって瞳孔の拡張が避けられるか減少し、暗視に対する悪影響が保全又は防止され、そして色歪みが減少する。この試みの一例は、図８に示される誘電性積層体と図６のペリレン染料との組みあわせであり、図１２に示される結果になる。このデバイスは９７．５％の明所視透過、９３．２％の暗所視透過、及び１１ＪＮＤの平均カラーシフトを有することが観察された。昼光におけるマンセルタイルについてのこのデバイスの色歪みを総括したヒストグラムを図１３に示す。
【００５２】
その他の実施形態では、光学フィルターは目の外側に置かれ、例えば眼鏡レンズ、ゴーグル、バイザーなどである。通常のフィルターが用いられる場合は、外部の観察者が見た場合に、装着者の顔の色がそのレンズで着色される。すなわち、典型的には、他人が見た場合に、顔色又は肌の色調が青色ブロックレンズによりシフトされるのである。青色光の吸収に伴うこの黄色変色はしばしば美容上好ましくない。このカラーシフトを最小限にするための操作は、マンセルカラータイルのそれを装着者の肌の反射に置き換えて、マンセルタイルについて上述したのと同様である。肌の色は着色、血流及び照明条件の関数である。異なる人種の被験者由来の肌反射スペクトルの代表的なシリーズを図１４Ａ〜Ｂに示す。白色人種の被験者についての例示的な肌反射スペクトルを図１５に示す。昼光（Ｄ６５）照明におけるこの肌の（Ｌ＊，ａ＊，ｂ＊）色座標は（６７．１，１８．９，１３．７）である。プラット青色ブロックフィルターの介在によりこれらの色座標は、６９ＪＮＤ単位のシフト、（３８．９，１７．２，４４．０）に変更される。マインスター青色ブロックフィルターはその色座標を１７ＪＮＤ単位だけ（６２．９，１３．１，２９．３）にシフトする。これに対し、ここに説明されているペリレンフィルターはわずか６ＪＮＤのカラーシフトであり、マインスターフィルターの１／３である。種々の青色ブロックフィルターを用いる昼光照明の下での例示的な白色人種の肌の美容上のカラーシフトの総括を表IIIに示す。表Ｉに示されているデータは基本材料によって引き起こされるいずれかの効果を除去するために標準化されている。
【００５３】
［表III］
0005898136.tif 000004
【００５４】
一つの実施形態では、網膜に対する青色光の流入を減少させるが排除しないように照明が濾光される。これは、ここに記載した原理を用いて視野と照明源との間に吸収又は反射エレメントを置くことで達成される。例えば、建築物の窓がペリレンを含むフィルムで被覆され、窓の透過スペクトルが図６に示されるものに整合される。典型的には、外部の昼光がそれらを通過した場合に、これらのフィルターは被覆されていない窓と比較して瞳孔の拡張を誘導せず、感知できるほどのカラーシフトを引き起こさない。本発明による青色フィルターは、蛍光灯、白熱灯、アーク灯、フラッシュ、ダイオードランプ、ディスプレイなどのような人工照明に用いうる。
【００５５】
本発明によるフィルムを製造するために種々の材料を用いることができる。かかる材料の二つの例は、ポリビニルアルコール（ＰＶＡ）及びポリビニルブチラール（ＰＶＢ）である。ＰＶＡフィルムの場合、これはポリビニルアセテートを完全に加水分解してアセテート基を除去することにより調製される。ＰＶＡフィルムはフィルム形成性、乳化性及び接着特性に優れているために好ましい。さらに、ＰＶＡフィルムは引っ張り強度、柔軟性、及び高温安定性が高く、また酸素遮断性に優れる。
【００５６】
ＰＶＢフィルムはブタナール中でポリビニルアルコールを反応させて調製される。ＰＶＢは高い強度、光学的な透明性、柔軟性及び強靭性が要求される用途に好適である。また、ＰＶＢはフィルム形成性及び接着特性に優れている。
【００５７】
ＰＶＡ、ＰＶＢ及びその他の安定なフィルムは、押し出しされ、溶液から注型され、スピンコートされて硬化され、又は浸漬被覆されて硬化されてよい。当業者に知られているその他の製造方法を用いてもよい。フィルムの所望のスペクトルプロファイルを生成するのに必要な染料を一体化するための幾つかの方法が知られている。例示的な染料一体化方法には、蒸着、フィルム中への化学的な架橋、ポリマー微小球に溶解してフィルムに一体化することが含まれる。好ましい染料は、キーストーン（Keystone）、ＢＰＩ＆ファントム（Phantom）を含む会社から市販されている。
【００５８】
眼鏡レンズの殆どの着色はレンズが製造者から発送された後に行われる。したがって、青色吸収染料はレンズそのものの製造過程で一体化されることが好ましい。そうするためには、濾光及び色調和染料は、ハードコート及び／又はレンズ材料に対するハードコートの接着を促進するために設けられるプライマーコートの中に組み込まれる。例えば、プライマーコート及びそれに伴うハードコートは、最終製品について追加的に耐久性及び耐擦傷性を提供するために製造過程の最後に於いて眼鏡レンズ又はその他の眼用システムの最も上にしばしば追加される。典型的には、ハードコートはシステムの最も外側の層であり、システムの前面、後面、又は前面及び後面の両方に設けられる。
【００５９】
図１８はハードコート１８０３及びそれに伴う接着性促進プライマーコート１８０２を有する例示的なシステムを示す。例示的なハードコート及び接着性促進プライマーコートは、例えばトクヤマ、ウルトラオプティクス（UltraOptics）、ＳＤＣ、ＰＰＧ、及びＬＴＩのような製造者から入手可能である。
【００６０】
本発明によるシステムでは、青色ブロック染料及び色調和染料がプライマーコート１８０２に含まれてよい。また、青色ブロック及び色調和染料はハードコート１８０３に含まれてよい。染料類は同一の被覆層に含まれる必要はない。例えば、青色ブロック染料はハードコート１８０３に含有させ、色調和染料はプライマーコート１８０２に含有させてよい。色調和染料はハードコート１８０３に含有させ、青色ブロック染料はプライマーコート１８０２に含有させてよい。
【００６１】
本発明によるプライマー及びハードコートは、スピンコート、ディップコート、スプレーコート、蒸発、スパッタリング、及び化学蒸着を含む当業者に知られている方法を用いて付着させることができる。各層に含有される青色ブロック及び／又は色調和染料は、染料が液体被覆材料中に溶解されて得られる混合物がシステムに塗布される場合のように、層として同時に付着されてよい。また、染料は、被覆が硬化又は乾燥又は設けられる前に表面上に染料がスプレーされる場合のように、独立した方法又は従属した方法によって付着されてもよい。
【００６２】
ハードコート及び／又はプライマーコートはフィルムに関してここに説明されるような機能を奏し、利益を達成する。特に、この被覆は青色を選択的に抑制し、他方望ましい明所視、暗所視、概日リズム、及び光毒性レベルは維持する。また、ここに説明されるハードコート及び又はプライマーコートは、いずれかの組み合わせにおいて、ここに説明されるフィルムを組み込んだ眼用システムに用いられる。特定の実施例として、眼用システムは青色光を選択的に抑制するフィルム及び色補正を提供するハードコートを含みうる。
【実施例】
【００６３】
変化させた濃度の青色ブロック染料を有する一体化フィルムを有するポリカーボネートレンズを製造し、図１６に示すように各レンズの透過スペクトルを測定した。２．２ｍｍのレンズ厚さにおいて３５、１５、７．６、及び３．８ｐｐｍ（重量基準）のペリレン濃度を用いた。各レンズについて計算された種々のメトリクスを表ＩＶに示す。その参照は図１６における参照番号に対応する。光の選択的な吸収は、ビールの法則に従って生成物の染料の濃度及び被覆の厚さに主として依存するから、フィルムと組み合わせて又はフィルムのかわりにハードコート及び／又はプライマーコートを用いて同様の結果が達成されると考えられる。
【００６４】
［表IV］
0005898136.tif 000005
【００６５】
３５ｐｐｍ着色レンズを除き、表IV及び図１６に記載された全てのレンズは３８０ｎｍ未満のＵＶ波長を抑制するために眼用レンズシステムに典型的に用いられるＵＶ染料を含む。明所視率は正常視力を説明し、無濾光光及びその同じ感度曲線の積分で割ったフィルター透過スペクトル及びＶλ（明所視感度）の積分として計算される。暗所視率は薄暗い照明の条件における視力を説明し、無濾光光及びその同じ感度曲線の積分で割ったフィルター透過スペクトル及びＶ'λ（暗所視感度）の積分として計算される。概日率は概日リズムに対する光の影響を説明し、無濾光光及びその同じ感度曲線の積分で割ったフィルター透過スペクトル及びＭ'λ（メラトニン抑制感度）の積分として計算される。光毒性率は高エネルギー光に露出されたことにより引き起こされる目に対する損傷を説明し、無濾光光及びその同じ感度曲線の積分で割ったフィルター透過性及びＢλ（有水晶体ＵＶ−青色光毒性）の積分として計算される。これらの値を計算するのに用いられる応答関数は、マインスター及びスパロー、「ＩＯＬはどれ位の青色光を透過すべきか？」、Ｂｒ．Ｊ．オプタルモル．、２００３年、８７巻、１５２３〜２９頁、マインスター、「眼球内レンズは青色光ではなくＵＶ照射及び紫色をブロックすべきである」、アーク（Arch）．オプタル（Ophthal）．、第１２３巻、第５５０頁（２００５）、及びマインスター、「紫色及び青色光ブロック眼球内レンズ：光保護対光受容」Ｂｒ．Ｊ．オプタルモル、２００６年、９０巻、７８４〜９２頁に開示されている。幾つかの用途について異なる光毒性曲線が好ましいが計算のための方法論は同様である。例えば、眼球内レンズ（ＩＯＬ）の用途のためには無水晶体光毒性曲線を用いるべきである。さらに、光毒性光機構の理解が進歩するに従って新しい光毒性曲線が適用されうる。
【００６６】
上述の例示的なデータに示されるように、本発明によるシステムは選択的に青色光、特に４００ｎｍ〜４６０ｎｍ領域の光を抑制しながら、一方では少なくとも約８５％の明所視発光透過率、及び約８０％未満、より好ましくは約７０％未満、より好ましくは約６０％未満、そしてより好ましくは約５０％未満の光毒性率を提供する。上述のように、ここに記載された技術を用いて９５％又はそれ以上までの明所視発光透過率を達成することもできる。
【００６７】
ここに説明されている原理は、光毒性の青色光の幾らかの部分を濾光しながら瞳孔の拡張、暗所視感度、眼用デバイスによる色歪み、及びそのデバイスを顔に装着した人を見る観察者が眼用デバイスの外部から受ける美容上の色を減少させる目的を持つ種々の発光体、フィルター及び肌の調色に適用することができる。
【００６８】
ここに説明した方法及びシステムは、特定の染料、誘電性光学フィルター、肌の色合い、及び発光体を用いて説明されているけれども、代替的な染料、フィルター、肌の色、及び発光体を用いうることは理解される。
【図１】
0005898136.tif 000006
【図２】
0005898136.tif 000007
【図３】
0005898136.tif 000008
【図４】
0005898136.tif 000009
【図５Ａ】
0005898136.tif 000010
【図５Ｂ】
0005898136.tif 000011
【図６】
0005898136.tif 000012
【図７】
0005898136.tif 000013
【図８】
0005898136.tif 000014
【図９】
0005898136.tif 000015
【図１０Ａ】
0005898136.tif 000016
【図１０Ｂ】
0005898136.tif 000017
【図１１】
0005898136.tif 000018
【図１２】
0005898136.tif 000019
【図１３】
0005898136.tif 000020
【図１４Ａ】
0005898136.tif 000021
【図１４Ｂ】
0005898136.tif 000022
【図１５】
0005898136.tif 000023
【図１６】
0005898136.tif 000024
【図１７】
0005898136.tif 000025
【図１８】
0005898136.tif 000026